(57)【要約】【課題】分岐数が異なる分岐回路を、部品の種類や点数を増加することなく低コストで形成可能とする。【解決手段】ハウジング２に収容される圧接端子を、隣接する一対の電線９，９を圧接可能な受け刃６が並設された二連端子とし、その二連端子５を、電線方向へ所定間隔をおいて電線との直交方向へ二列で複数個並列に、且つ両列間で二連端子５同士が電線１本分ずれて対向するように千鳥状に配置した。よって、複数の電線９を、ハウジング２への挿通方向で対向する任意の一対の二連端子５，５間に夫々布線して圧接し、圧接した任意の電線を二連端子５，５間で切断することで、複数の分岐回路が形成可能となる。【選択図】図１
2008059996.tif 000002
【特許請求の範囲】
【請求項１】
ハウジング内に複数の電線を略平行に挿通させ、内部に収容した圧接端子に前記電線を圧接して分岐回路を形成する圧接ジョイントコネクタであって、
前記圧接端子を、隣接する一対の電線を圧接可能な２つの受け刃が並設された二連端子とし、その二連端子を、前記電線方向へ所定間隔をおいて前記電線との直交方向へ二列で複数個並列に、且つ両列間で前記二連端子同士が電線１本分ずれて対向するように千鳥状に配置したことを特徴とする圧接ジョイントコネクタ。
【請求項２】
ハウジングを、電線との直交方向へ並列配置される二連端子の列ごとに二分割した請求項１に記載の圧接ジョイントコネクタ。
【請求項３】
二連端子に、圧接した電線をかしめ固定するかしめ部を設けた請求項１又は２に記載の圧接ジョイントコネクタ。
【請求項４】
請求項１乃至３の何れかに記載の圧接ジョイントコネクタに、任意の数の複数の電線を、ハウジングへの挿通方向で対向する任意の一対の二連端子間に夫々布線して圧接し、圧接した任意の電線を前記二連端子間で切断することで、中間に複数の分岐回路を形成してなるワイヤハーネス。
【発明の詳細な説明】
【技術分野】
【０００１】
本発明は、複数の電線を略平行に挿通させ、内部に収容した圧接端子に電線を圧接して分岐回路を形成するための圧接ジョイントコネクタと、その圧接ジョイントコネクタを用いて分岐回路を形成するワイヤハーネスとに関する。
【背景技術】
【０００２】
圧接ジョイントコネクタは、例えば特許文献１に示すように、両端に電線の挿入口を複数並設したハウジング内に、電線の圧接端子を複数収容して形成される。この圧接端子には、隣接する一対の電線を圧接する２つの刃部が電線との直交方向で連設されており、この圧接端子を一対、電線との直交方向で電線１本分位置をずらせて配置している。この圧接ジョイントコネクタを用いてワイヤハーネスに分岐回路を作成する場合は、３本の電線をハウジング内へ平行に挿通させて各圧接端子に２本の電線を圧接した状態で、圧接端子間の電線を切断することで、分岐数が３つの分岐回路が２組得られることになる。
【０００３】
【特許文献１】特許第３５４１５４０号公報
【発明の開示】
【発明が解決しようとする課題】
【０００４】
上記圧接ジョイントコネクタにおいては、分岐数が異なる分岐回路を作成する場合、連設される刃部の数が異なる圧接端子を新たに作成して配置する必要があるため、部品の種類や点数が増加し、コストアップに繋がる。また、種類の増加によって部品管理の工数も増加し、部品管理に係る手間が煩雑化する。
【０００５】
そこで、本発明は、分岐数が異なる分岐回路を、部品の種類や点数を増加することなく低コストで形成可能な圧接ジョイントコネクタと、その圧接ジョイントコネクタを用いたワイヤハーネスとを提供することを目的としたものである。
【課題を解決するための手段】
【０００６】
上記目的を達成するために、請求項１に記載の発明は、圧接ジョイントコネクタであって、圧接端子を、隣接する一対の電線を圧接可能な２つの受け刃が並設された二連端子とし、その二連端子を、電線方向へ所定間隔をおいて電線との直交方向へ二列で複数個並列に、且つ両列間で二連端子同士が電線１本分ずれて対向するように千鳥状に配置したことを特徴とするものである。
請求項２に記載の発明は、請求項１の目的に加えて、柔軟な使用が可能となってコスト面でもより有利となる圧接ジョイントコネクタを得るために、ハウジングを、電線との直交方向へ並列配置される二連端子の列ごとに二分割したものである。
請求項３に記載の発明は、請求項２の目的に加えて、二連端子と電線との接続不良を効果的に防止するために、二連端子に、圧接した電線をかしめ固定するかしめ部を設けたものである。
【０００７】
上記目的を達成するために、請求項４に記載の発明は、ワイヤハーネスであって、請求項１乃至３の何れかに記載の圧接ジョイントコネクタに、任意の数の複数の電線を、ハウジングへの挿通方向で対向する任意の一対の二連端子間に夫々布線して圧接し、圧接した任意の電線を二連端子間で切断することで、中間に複数の分岐回路を形成してなる構成としたものである。
【発明の効果】
【０００８】
請求項１及び４に記載の発明によれば、分岐数が異なる分岐回路を、部品の種類や点数を増加することなく低コストで形成可能となる。また、使用する圧接端子が二連端子の一種類で済むので部品管理工数が増えることもない。
請求項２に記載の発明によれば、請求項１の効果に加えて、ハウジングを二分割したことで、分岐数が少ない場合では１個でも使用可能となり、車両の分岐数や分岐回路数に応じた柔軟な使用が可能となって部品点数の削減に繋がり、コスト面でより有利となる。また、ワイヤハーネスに沿わせて固定する場合はワイヤハーネスの曲線部に合わせて無理なく固定することができ、その他の場合でもコネクタの向きを変えたりねじったりすることで配置場所に合わせて設置できる、といった柔軟な対応が可能となり、設置がより容易に行える。さらに、コネクタ間での電線の切断も比較的広い空間で容易に行える。
請求項３に記載の発明によれば、請求項１又は２の効果に加えて、かしめ部の採用により、各電線の絶縁被覆が圧接端子に保持されて、ワイヤハーネスの運搬時や布線時に圧接部に外力が加わることがなく、接続不良のおそれがなくなる。特に、電線の径にかかわりなくかしめ固定できるため、汎用性も得られる。
【発明を実施するための最良の形態】
【０００９】
以下、本発明の実施の形態を図面に基づいて説明する。
《形態１》
図１は、本発明の圧接ジョイントコネクタの一例を示す分解斜視図で、圧接ジョイントコネクタ１は、複数の略平行な収容溝３，３・・を長手方向に凹設した平面矩形状のハウジング２と、そのハウジング２への組み付け状態でハウジング２の上面を閉塞するカバー４とを備えている。５は、ハウジング２の収容溝３に配置される圧接端子で、この圧接端子５は、収容溝３方向でＵ字状の受け刃６，６を夫々前後に一対形成した金具を、収容溝３との直交方向に隣接する同士で連結した二連端子となっている（以下この圧接端子を「二連端子」という）。各二連端子５における収容溝３の端部側には、電線９の絶縁被覆をかしめ固定するかしめ部として、一対のインシュレーションバレル７，７が立設されている。
【００１０】
また、ここでの二連端子５は、ハウジング２の長手方向の前後両端において、収容溝３と直交する短手方向へ二列となるように３個ずつ並列配置されると共に、両列間の二連端子５が収容溝３の１本分ずれて対向するように千鳥状に配置されている。各収容溝３の中央部底面には、ハウジング２の下方から電線９の両側に治具を挿入して電線９の交差布線を防ぐための透孔８，８・・が夫々穿設されている。
【００１１】
以上の如く構成された圧接ジョイントコネクタ１に対して、ここでは７本の電線９，９・・が収容されている。すなわち、千鳥状配置によって前後の片側のみに二連端子５が収容される短手方向両端の収容溝３を含めた７つの収容溝３に、電線圧接装置の単一の圧接刃によって各電線９を夫々個別に圧接してインシュレーションバレル７，７でかしめるか、多連の圧接刃によって複数の電線９を夫々同時に圧接してインシュレーションバレル７，７でかしめるかすることで収容可能となる。
【００１２】
こうして７本の電線９が圧接された状態で、所定の電線９の中間部を切断具で切断することで、種々の分岐回路を形成することができる。図２は、７本の電線を圧接ジョイントコネクタ１に収容して分岐回路を形成したワイヤハーネス１０の概略図で、ここではＬ１〜Ｌ７で区別した７本の電線のうち、Ｌ４とＬ６との中間部を切断している。１１，１１・・は各電線Ｌ１〜Ｌ７の端部に接続したコネクタである。これにより、電線Ｌ１〜Ｌ４（左）による７本の分岐一つと、電線Ｌ４（右）〜Ｌ６（左）による４本の分岐一つと、電線Ｌ６（右）〜Ｌ７による３本の分岐一つとが得られる。１２，１２は二連端子５がないスルー回路となる。
【００１３】
このように、上記形態１の圧接ジョイントコネクタ１及びそれを用いたワイヤハーネス１０によれば、圧接端子を、隣接する一対の電線９，９を圧接可能な２つの受け刃６が並設された二連端子５とし、その二連端子５を、電線方向へ所定間隔をおいて電線との直交方向へ二列で複数個並列に、且つ両列間で二連端子５同士が電線１本分ずれて対向するように千鳥状に配置したことで、分岐数が異なる分岐回路を、部品の種類や点数を増加することなく低コストで形成可能となる。また、使用する圧接端子が二連端子５の一種類で済むので部品管理工数が増えることもない。
【００１４】
図３（Ａ）〜（Ｆ）は、上記形態１の圧接ジョイントコネクタに他の分岐回路を形成した実施例を示す概略図で、×印は切断を、右側の数字が分岐数を夫々示す。例えば同図（Ａ）では、電線Ｌ２，３及びＬ５，６の中間部を切断することで、３，２，４，２，３の各分岐数が得られることを示している。また、同図（Ｄ）では、電線Ｌ２，３の中間部を切断して電線Ｌ５を当該位置の収容溝３に布線しないことで、３，２，３，４の各分岐数が得られることを示している。
このように、上記形態１では、各収容溝３において、１．電線を布線する、２．電線を布線して切断する、３．電線を布線しない、のうちの何れかを選択することで、３７＝２１８７通りの分岐形態が形成可能となる。よって、分岐回路の設計性が飛躍的に高まる。
【００１５】
そして、ここでは二連端子５にインシュレーションバレル７を設けているため、各電線９の絶縁被覆が二連端子５に保持されて、ワイヤハーネス１０の運搬時や布線時に圧接部に外力が加わることがなく、接続不良のおそれがなくなる。特に、電線の径にかかわりなくかしめ固定できるため、汎用性も得られる。
【００１６】
《形態２》
次に、本発明の他の形態を説明する。なお、形態１と同じ構成部には同じ符号を付して重複する説明を省略する。
図４に示す圧接ジョイントコネクタ２０は、左側で電線との直交方向に並列配置される３つの二連端子５を収容する第１コネクタ２１と、右側で電線との直交方向に並列配置される３つの二連端子５を収容する第２コネクタ２２とに二分割されている。但しここでは、同一部品を互いに対向させて用いることで部品種類の合理化を図っている。第１、第２コネクタ２１，２２に用いられる二連端子５は、受け刃６の形態は図１と同じであるが、インシュレーションバレル７は長手方向の前後両端に夫々設けられている。
【００１７】
図５は、この圧接ジョイントコネクタ２０を用いたワイヤハーネス１０ａの概略図であるが、ここでも、第１、第２コネクタ２１，２２間で互いに直線状に位置を合わせた７つの収容溝３に対して二連端子５を千鳥状となるように配置して、各収容溝３において、１．電線を布線する、２．電線を布線して切断する、３．電線を布線しない、のうちの何れかを選択することで、２１８７通りの分岐形態が形成可能となる。電線の切断は、第１、第２コネクタ２１，２２の間の空間で行えばよいが、切断端部は、図４に示すように、対向する切断端部同士の接触によるショート等を防止するために各コネクタ内に収まるように短く切断している。
【００１８】
このように、上記形態２の圧接ジョイントコネクタ２０及びそれを用いたワイヤハーネス１０ａにおいても、分岐数が異なる分岐回路を、部品の種類や点数を増加することなく低コストで形成可能となり、部品管理工数が増えることもないという形態１と同様の効果が得られる。
特にここでは、圧接ジョイントコネクタ２０を、電線９との直交方向へ並列配置される二連端子５の列ごとに二分割したことで、分岐数が少ない場合では１個でも使用可能となり、車両の分岐数や分岐回路数に応じた柔軟な使用が可能となって部品点数の削減に繋がり、コスト面でより有利となる。また、ワイヤハーネスに沿わせて固定する場合はワイヤハーネスの曲線部に合わせて無理なく固定することができ、その他の場合でもコネクタの向きを変えたりねじったりすることで配置場所に合わせて設置できる、といった柔軟な対応が可能となる。さらに、第１、第２コネクタ２１，２２間での電線の切断も比較的広い空間で容易に行える。
【００１９】
なお、第１、第２コネクタ２１，２２は形態２のように同形状とするものに限らず、分岐数によっては形状を変えるようにしてもよい。例えば図６に示す圧接ジョイントコネクタ２０ａは、第２コネクタ２２を二連端子５が２個のみ収容できるものとして、電線Ｌ２〜Ｌ５を圧接し、電線Ｌ４の中間部を切断することで、７本の分岐１つと５本の分岐１つを得るものである。このように分割した一方又は双方のコネクタを最小限必要な形態とすることで、圧接ジョイントコネクタ全体のコンパクト化や低コスト化が期待できる。
【００２０】
また、形態１，２に共通した変更例として、圧接ジョイントコネクタに設ける収容溝の数は上記形態に限らず増減可能で、二連端子も、用いる電線の数や必要な分岐回路に応じて適宜増減可能である。受け刃の数や形状も変更して差し支えない。
さらに、インシュレーションバレルも、数を増やしたり、左右の爪を千鳥状に配置したり等の設計変更が可能で、省略することもできる。
【図面の簡単な説明】
【００２１】
【図１】形態１の圧接ジョイントコネクタの分解斜視図である。
【図２】形態１の圧接ジョイントコネクタを用いたワイヤハーネスの概略図である。
【図３】（Ａ）〜（Ｆ）は夫々分岐回路の実施例を示す概略図である。
【図４】形態２の圧接ジョイントコネクタの斜視図である。
【図５】形態２の圧接ジョイントコネクタを用いたワイヤハーネスの概略図である。
【図６】変更例の圧接ジョイントコネクタを用いたワイヤハーネスの概略図である。
【符号の説明】
【００２２】
１，２０ａ・・圧接ジョイントコネクタ、２・・ハウジング、３・・収容溝、４・・カバー、５・・圧接端子（二連端子）、６・・受け刃、７・・インシュレーションバレル、８・・透孔、９・・電線、１０，１０ａ・・ワイヤハーネス、２１・・第１コネクタ、２２・・第２コネクタ。
【図１】
2008059996.tif 000003
【図２】
2008059996.tif 000004
【図３】
2008059996.tif 000005
【図４】
2008059996.tif 000006
【図５】
2008059996.tif 000007
【図６】
2008059996.tif 000008